(57)【要約】【課題】ランプ・ソケットの取り付け構造における構造的な安定性を確保すること。【解決手段】  フラッシュ光源装置１は、（１）一端側に容器１９を配置させ、他端側にはステム２４を配置させたＸｅＦランプ１２と、（２）所定の間隔をもって且つステムピン２０等が突出するようにステム２４を包囲し、ステムに固定されたランプフランジ２６と、（３）挿入部２９を備え、ＸｅＦランプと同軸方向に延び、ランプフランジよりも小さい外径を有するソケットフランジ３０が挿入部側の一端に取り付けられているトリガソケット１４と、（４）ランプ挿入口３２を介して容器を収容する光学ボックス１１と、（５）ランプフランジとソケットフランジとを包囲し、筒形状の形状であり、一端が光学ボックスに結合され、他端に設けられたソケット挿通部３６はソケットフランジの外径よりも小さな内径を有する固定部材３５とを備える。【選択図】図６
2008047366.tif 000002
【特許請求の範囲】
【請求項１】
軸上の一端側に内部に電極を収容する光透過性の容器を配置させ、前記軸上の他端側には外側に突出したステムピンを有するステムを配置させたフラッシュランプと、
所定の間隔をもって且つ前記ステムピンが突出するように前記ステムの少なくとも一部を包囲し、前記所定の間隔が任意の接合部材によって埋められることにより前記ステムに固定されたランプフランジと、
前記ステムピンが結合される結合部を備え、前記フラッシュランプと同軸方向に延び、ソケットフランジが前記軸に対して前記結合部側の一端に取り付けられているトリガソケットと、
ランプ挿入口を備えた筐体であって、前記ランプ挿入口を介して前記容器を収容する光学ボックスと、
前記ランプフランジの少なくとも一部と、前記ソケットフランジとを包囲し、筒形状の形状であり、前記ランプフランジ側の一端が前記光学ボックスに結合され、前記ソケットフランジ側の他端に設けられて前記トリガソケットが挿通されるソケット挿通部は前記ソケットフランジの外径よりも小さな内径を有する固定部材と、
を備えることを特徴とする光源装置。
【請求項２】
前記ソケットフランジは、前記ランプフランジよりも小さい外径を有することを特徴とする請求項１に記載の光源装置。
【請求項３】
前記ソケットフランジにおいて、前記ステムピンと前記結合部とが結合されるときのフラッシュランプ側の端面には、前記接合部材によって埋められる前記所定の間隔と対向する部分を含むように、窪み部が設けられることを特徴とする請求項１又は請求項２に記載の光源装置。
【請求項４】
前記ランプフランジは、所定の間隔をもって前記容器の一部を包囲するとともに前記軸に沿って延びた壁形状の壁状部を備え、
前記ランプ挿入口は、筒形状の形状であり、
前記光学ボックスは、前記ランプ挿入口の内壁に前記壁状部の外面が当接されることによって、前記容器を収容することを特徴とする請求項１〜３の何れか１項に記載の光源装置。
【請求項５】
前記壁状部において、前記軸に沿って延びたときの先端には、切欠部が設けられており、
前記ランプ挿入口の内壁には、前記切欠部に挿入されることの可能な突起部が設けられていることを特徴とする請求項４に記載の光源装置。
【発明の詳細な説明】
【技術分野】
【０００１】
本発明は、光源装置に関するものである。
【背景技術】
【０００２】
ランプと該ランプを点灯させるための装置各部とがハウジングの内部に配置された光源装置が知られている。このような光源装置におけるランプ等は消耗品であるため、例えば一定の使用頻度を越えた場合には交換が必要となる。交換時には、新しいランプ等を所定の位置に配置して固定させる必要がある。例えば特許文献１は、ランプとソケットとの取り付け構造について示しており、使用済みのランプを着脱自在なソケットから取り外して新しいランプに交換する旨が記載されている。
【特許文献１】特許第２７５７８６６号公報
【発明の開示】
【発明が解決しようとする課題】
【０００３】
従来のランプ・ソケットの取り付け構造においては、例えばランプ側のステムピンとソケット側のステムピン挿入穴とが結合されることにより、光源ボックスに固定されたランプにソケットが取り付けられるようになっていた。しかし、このような構成では、例えばランプとソケットとの成す軸の垂直な下方向へ、ソケットの重さによる応力が作用してしまう。このことは、上記取り付け構造全体における構造的な安定性を低下させる他、例えば上記応力が作用してステムピンが曲がり、曲がったステムピンによって発生したステムの隙間からランプ内部のガスが外部に漏れてしまう可能性もある。
【０００４】
そこで、本発明は上記に鑑みてなされたもので、ランプ・ソケットの取り付け構造における構造的な安定性を確保することが可能な光源装置を提供することを目的とする。
【課題を解決するための手段】
【０００５】
上記課題を解決するために、本発明の光源装置は、軸上の一端側に内部に電極を収容する光透過性の容器を配置させ、軸上の他端側には外側に突出したステムピンを有するステムを配置させたフラッシュランプと、所定の間隔をもって且つステムピンが突出するようにステムの少なくとも一部を包囲し、所定の間隔が任意の接合部材によって埋められることによりステムに固定されたランプフランジと、ステムピンが結合される結合部を備え、フラッシュランプと同軸方向に延び、ソケットフランジが上記軸に対して結合部側の一端に取り付けられているトリガソケットと、ランプ挿入口を備えた筐体であって、ランプ挿入口を介して容器を収容する光学ボックスと、ランプフランジの少なくとも一部と、ソケットフランジとを包囲し、筒形状の形状であり、ランプフランジ側の一端が光学ボックスに結合され、ソケットフランジ側の他端に設けられてトリガソケットが挿通されるソケット挿通部はソケットフランジの外径よりも小さな内径を有する固定部材と、を備える。
【０００６】
このような本発明の光源装置によれば、ステムピンと結合部とが結合されていくことにより、フラッシュランプ或いはランプフランジに、トリガソケット或いはソケットフランジが密着していく。一方で、ランプフランジの少なくとも一部と、ソケットフランジとを包囲する筒形状の固定部材は、ソケットフランジ側の他端に、ソケットフランジの外径よりも小さい内径のソケット挿通部を有している。
【０００７】
このような構成から、トリガソケットと結合されたフラッシュランプが光学ボックスのランプ挿入口に配置され、固定部材のランプフランジ側の一端が光学ボックスに近づいて結合していくと、固定部材のソケットフランジ側の他端はソケットフランジをランプフランジに密着させていく。このようにして、固定部材のランプフランジ側の一端が光学ボックスにしっかりと結合されると、固定部材と光学ボックスとによって挟み込まれた各フランジ部を介して、フラッシュランプとトリガソケットとは互いに押し付けられた状態で光学ボックスにしっかりと固定される。
【０００８】
このように、フラッシュランプに固定されたランプフランジとトリガソケットに取り付けられたソケットフランジとが、固定部材と光学ボックスとの間に挟み込まれることにより、互いに当接された状態で光学ボックスにしっかりと固定された場合には、例えばトリガソケットの重さによる、フラッシュランプとトリガソケットとの成す軸の垂直な下方向への応力は、各フランジ部での固定部分に作用するために、ステムピンとソケットとの結合部における構造的な安定性を確保することができる。更に、上記場合には、例えば上記応力が作用してステムピンが曲がり、曲がったステムピンによって発生したステムの隙間から光透過性の容器内部のガスが外部に漏れることを防止することができる。
【０００９】
ところで、本発明においては、フラッシュランプとランプフランジとは所定の間隔をおいて固定されている。この所定の間隔は、例えば光透過性の容器内に収容された電極、つまり発光領域を光学ボックス内の最適な位置に配置させるために、適宜調整可能とするためのものである。すなわち、ランプフランジの枠内におけるフラッシュランプの配置位置は場合によって変動する。つまり、フラッシュランプの中心軸とランプフランジとの中心軸とが一致しない場合もある。
【００１０】
一方で、ソケットフランジ付きのトリガソケットは、上記したランプフランジ付のフラッシュランプに結合される。このとき、仮に、ランプフランジの外径とソケットフランジの外径とが同じであったとすると、上記変動にしたがって、例えばランプフランジの中心軸を中心とした場合のランプフランジ及びソケットフランジで構成される部分の最外郭面が、ときにはランプフランジの外面になったり、ときにはソケットフランジの外面になったりする。このことにより、フラッシュランプ・トリガソケットの取り付け構造の全体外形に対する安定性が失われやすい。
【００１１】
ここで、本発明においては、ソケットフランジはランプフランジよりも小さい外径を有する。このため、上記変動があった場合に、ソケットフランジの外面がランプフランジの外面よりはみ出ることを、ソケットフランジの外径が小さい分だけ、防止することができる。このことは、例えばランプフランジの外面が上記最外郭面であることを維持しやすくするなど、フラッシュランプ・トリガソケットの取り付け構造の全体外形に対する安定性を向上させる。その結果、例えば最外郭面であるランプフランジの外径に基づいて固定部材の大きさを決めて形成することができる。
【００１２】
また、ソケットフランジにおいて、ステムピンと結合部とが結合されるときのフラッシュランプ側の端面には、接合部材によって埋められる上記所定の間隔と対向する部分を含むように、窪み部が設けられる。
【００１３】
この発明によれば、窪み部は、ステムとランプフランジとの間に対応するように設けられる。一方、ステムとランプフランジとの間には接合部材が埋められる。このため、窪み部は、ステムとランプフランジとにおいてトリガソケットに接する端面よりはみ出た場合の接合部材を納めることができる。したがって、はみ出た接合部材が例えばランプフランジとソケットフランジとの間に挟まれ、フラッシュランプとトリガソケットとが光学ボックスにしっかりと固定されなくなることを回避することができる。
【００１４】
また、ランプフランジは、所定の間隔をもって容器の一部を包囲するとともに上記軸に沿って延びた壁形状の壁状部を備え、ランプ挿入口は、筒形状の形状であり、光学ボックスは、ランプ挿入口の内壁に壁状部の外面が当接されることによって、容器を収容する。
【００１５】
この発明によれば、容器はその一部が壁状部によって包囲される。このため、壁状部は、該壁状部の外側からの衝撃が容器に直接に伝わらないように、該容器の保護部材としての役割を果たすことができる。
【００１６】
また、この発明においては、壁状部は容器の一部を包囲するとともに容器の軸に沿って延びた壁形状に形成されており、ランプ挿入口の内壁に壁状部の外面が当接されることによって、容器は光学ボックスに挿入され収容される構造となっている。このため、例えばユーザが、容器を挿入端にして、フラッシュランプを光学ボックスのランプ挿入口に挿入する際に、壁状部は、容器の上記ランプ挿入口に対するガイド部材或いは保護部材としての役割を果たすことができる。このことにより、例えば、ユーザは容器を上記ランプ挿入口等に直接に接触させることなく安全に挿入することができる。
【００１７】
また、壁状部において、上記軸に沿って延びたときの先端には、切欠部が設けられており、ランプ挿入口の内壁には、切欠部に挿入されることの可能な突起部が設けられている。
【００１８】
この場合には、例えば、ユーザがフラッシュランプを光学ボックスのランプ挿入口に挿入する際に、切欠部と突起部とを嵌め合わせるようにして挿入する。ここで、切欠部と突起部とは、例えばフラッシュランプが光学ボックス内の最適な位置に配置されるように、予め位置調整して形成されることができる。この場合に、ユーザは、予め調整した最適な位置に、容易に、フラッシュランプを配置させることができる。
【発明の効果】
【００１９】
本発明によれば、フラッシュランプ・トリガソケットの取り付け構造の安定性を確保することができる。
【発明を実施するための最良の形態】
【００２０】
以下、添付図面を参照して本発明にかかる光源装置の好適な実施形態を詳細に説明する。なお、図面の説明において同一の要素には同一の符号を付し、重複する説明を省略する。また、図面の寸法比率は、説明のものと必ずしも一致していない。
【００２１】
図１は、本発明のフラッシュ光源装置１の外面構成を示す斜視図である。フラッシュ光源装置１のハウジング２は、図１に示すように、上部ハウジング３と下部ハウジング４との２つの部分からなる。上部ハウジング３は、その一面に光出射口７を有する。以下、光出射口７の位置する光出射面をハウジング２の前面という。このことに対応付けて、上部ハウジング３は、前面３ａ、背面３ｂ、左側面３ｃ、右側面３ｄ、上面３ｅからなる。また、下部ハウジング４は、前面４ａ、背面４ｂ、左側面４ｃ、右側面４ｄ、底面４ｅからなる。ただし、これらの各面の前後左右等の名称は説明のため便宜的に付したものであって、フラッシュ光源装置１における前後方向など、実際の装置構成や機能に必ずしもよるものではない。
【００２２】
フラッシュ光源装置１は、上部ハウジング３及びその内部に設置された各要素から構成されて、光を出射させる光源部５と、下部ハウジング４及びその内部に設置された各要素から構成されて、装置を動作させる駆動部６と、を備えている。
【００２３】
光源部５においては、上部ハウジング３の内部に、後述するキセノンフラッシュランプ（以下、「ＸｅＦランプ」という。）、トリガソケット、反射ミラー等が配置されており、フラッシュ光源装置１の光学系が構成されている。上部ハウジング３の前面３ａには、生成された光を外部に出射するための略円形の開口部分である光出射口７が設置されている。図１においては、光出射口７にはファイバ差込口７ａが取り付けられており、このファイバ差込口７ａにライトガイドとしてファイバ７ｂが接続されている。これによって、フラッシュ光源装置１から外部への光の出射が行われる。また、上部ハウジング３の背面３ｂ側には、蓋部９が設けられている。この蓋部９は、上部ハウジング３の内部に配置された装置各部の交換やメンテナンス時に、上部ハウジング３の内部を開放するためのものである。
【００２４】
一方、駆動部６においては、下部ハウジング４の内部に、光源部５の装置各部を駆動制御する駆動装置が格納されており、フラッシュ光源装置１の駆動系が構成されている。下部ハウジング４の前面４ａには、ユーザが駆動装置等に対して動作のＯＮ／ＯＦＦや動作状態を指示するための操作パネル８が設置されている。また、下部ハウジング４の左側面４ｃ及び右側面４ｄには、ハウジング２内の装置各部を冷却するための外気取込口１０が設けられている。
【００２５】
引き続いて、フラッシュ光源装置１の内部構成全般について、図２を参照しながら説明する。図２は、フラッシュ光源装置１の内部構成について、上部ハウジング３の右側面３ｄ及び光学ボックス１１の一部等を外した状態の右側面図である。
【００２６】
図２を参照すると、上部ハウジング３の内部には、装置前方に、前面１１ａ、背面１１ｂ、左側面、右側面、上面及び底面からなる光学ボックス１１が配置されている。光学ボックス１１の前面１１ａには、上部ハウジング３の前面３ａに設けられた光出射口７に向けて光を通過させるための略円形状の出射開口部１１ｃが設けられている。出射開口部１１ｃ及び光出射口７は、いずれも光出射の光軸（一点鎖線で表示）を中心として形成されている。
【００２７】
光学ボックス１１の内部には、生成した光を放射するためのＸｅＦランプ１２と反射ミラー１３とが配置されている。ＸｅＦランプ１２は、後述する光透過性の容器側を光学ボックス１１の背面１１ｂに設けられたランプ挿入口１１ｄを通して光学ボックス１１内に配置されることができる。ＸｅＦランプ１２は、出射開口部１１ｃ及び光出射口７に接続されたファイバ７ｂに最大光量が得られるように最適に位置調整されて、光学ボックス１１内に配置される。ＸｅＦランプ１２、光学ボックス１１等の形状、及び配置方法等については、後述する。
【００２８】
反射ミラー１３としては、例えば楕円集光ミラーなどの所定形状を有するとともに、その内面に反射面が形成されたミラーが用いられる。ＸｅＦランプ１２から放射された光は反射ミラー１３によって反射・集光され、出射開口部１１ｃを介して光出射口７に入射される。光出射口７を経た光は、ファイバ差込口７ａに接続されたファイバ７ｂに入射されて、外部に出射される。なお、図示はしないが、ＸｅＦランプ１２と出射開口部１１ｃとの間にシャッターを設け、このシャッターによって光の出射のＯＮ／ＯＦＦが切り換えられるようにしてもよい。また、光軸上には、シャッターに加えて、光量絞りや光透過フィルタなどの要素を必要に応じて更に設置しても良い。
【００２９】
光学ボックス１１は、上部ハウジング３から所定の間隔をあけて設置されており、その間隔による空間は、空気流によって装置内部の各部を冷却するための通気路として用いられる。
【００３０】
ＸｅＦランプ１２と同軸方向に延びる例えば円筒状のトリガソケット１４は、一端が、ＸｅＦランプ１２の放射反対側の端部に着脱自在に結合されることにより、駆動部６からの電力をＸｅＦランプ１２に供給することができる。また、トリガソケット１４は、ケーブル１４ａ、ソケット側コネクタ１５、駆動部側コネクタ１６を介して、駆動部６と電気的に接続されている。トリガソケット１４の具体的な形状については、後述する。
【００３１】
フラッシュ光源装置１の内部は、仕切り板１７により、光源部５と駆動部６とに分離されている。図示はしないが、仕切り板１７の下部の駆動部６に設置されている駆動装置は、電源部、駆動回路、制御用コンピュータなどを有して構成されている。下部ハウジング４の背面４ｂには電源供給部１８が設置されており、駆動装置はこの電源供給部１８を通じて外部から電源を供給される。
【００３２】
仕切り板１７上には、駆動部側コネクタ１６が設けられている。駆動部６からの電源や制御信号を光源部５内の装置各部に伝えるための駆動部側コネクタ１６は、ソケット側コネクタ１５と着脱自在に、仕切り板１７上に取り付けられている。また、仕切り板１７上には通気孔（図示せず）が設けられており、外気取込口１０から下部ハウジング４内部に取込まれた外気が上部ハウジング３内に流入されるための通気路として用いられる。
【００３３】
引き続いて、ＸｅＦランプ１２、トリガソケット１４、及びそれらの取り付け構造について、図３〜７を参照しながら詳細に説明する。図３は、ＸｅＦランプ１２を示す斜視図である。図４は、図３の長手方向に沿った概略断面図である。
【００３４】
図３〜４に示されるように、ＸｅＦランプ１２には、一点鎖線で表示された軸上の一端側に光透過性の容器１９が配置され、上記軸上の他端側には外側に突出したステムピン２０，２１，２２，２３等を有するステム２４が配置されている。容器１９は、全面を投光窓部１９ａとして形成させたガラス製のものである。ステム２４は、容器１９の開口側を塞ぐようにして固定されることにより、容器１９を密封状態とする。
【００３５】
容器１９内には、陽極２３ａと陰極２０ａとが縦に並べた状態で設置され、これら電極２３ａ，２０ａは、ステムピン２３，２０をそれぞれ介してステム２４に固定されている。本実施形態においては、陽極２３ａの尖端と陰極２０ａの尖端とは、光軸上で対向している。また、容器１９内には、陽極２３ａと陰極２０ａとの間にその尖端が臨むように、２本のトリガープローブ電極２１ａ，２２ａが配置され、これらトリガープローブ電極２１ａ，２２ａは、ステムピン２１，２２をそれぞれ介してステム２４に固定されている。また、密封された容器１９内は高圧に保たれ、その内部には例えばキセノンガスが排気管２５を通じて封入されている。
【００３６】
ステム２４の周囲にはランプフランジ２６が配置されている。ランプフランジ２６は、所定の間隔をもって、且つステムピン２０，２１，２２，２３及び排気管２５が突出するように、ステム２４の少なくとも一部を包囲している。また、ランプフランジ２６は、上記所定の間隔が任意の接着部材２７（接合部材）によって埋められることにより、ステム２４に固定されている。この接着部材２７としては、例えば熱硬化型の無機接着剤等を用いることができる。なお、接着部材２７以外の接合部材を用いても良く、接着部材２７に加えて、ステム２４への固定の補助として、ランプフランジ２６の外周からステム２４に向けてネジ止めしても良い。
【００３７】
ステム２４を包囲しており、接着部材２７によってステム２４に固定されている部分をランプフランジ２６の本体部２６ａという。一方、ランプフランジ２６の本体部２６ａからは、上記軸に沿って、壁状部２６ｂが延びている。この壁状部２６ｂは、所定の間隔をもって容器１９の一部を包囲しているため、外側からの衝撃がガラス製の容器１９に直接に伝わらないように、容器１９の保護部材としての役割を果たすことができる。
【００３８】
更に、ランプフランジ２６の外周面上には、上記軸と交差する面内で突出した位置決め部２６ｃが設けられている。本実施形態において、位置決め部２６ｃは、上記軸と直交する方向へ突出している。位置決め部２６ｃは、後述するように、ＸｅＦランプ１２が光学ボックス１１に挿入される際の位置を決めるものである。このような本体部２６ａ、壁状部２６ｂ及び位置決め部２６ｃは一体化されており、ランプフランジ２６を構成する。
【００３９】
また、本実施形態においては、容器１９の上記軸に対するステム２４側に、同軸に対して光出射側の外径より大きい外径の大径部１９ｂが設けられている。この構成により、大径部１９ｂ側に配置されるステム２４をより大きく形成することができる。このことによって、ステム２４に形成されるステムピン同士の間隔をより広く確保することができ、ステムピン２０，２１，２２，２３それぞれの耐電圧性を向上させることができる。
【００４０】
また、容器１９の光出射側は、ステム２４側より小さい外径を有する。このため、例えば容器１９の光出射側を挿入端にして上記挿入を行う際に、ユーザは、光出射側と光学ボックス１１のランプ挿入口３２との間の空間をより広く確保することができる。したがって、ユーザは容器１９をランプ挿入口３２に直接に接触させずに挿入することができ、挿入時の作業安全性が向上される。
【００４１】
一方で、ランプフランジ２６は、大径部１９ｂとステム２４とが接する部分を含んで、大径部１９ｂの少なくとも一部を包囲している。このような構成により、ランプフランジ２６は、外側からの衝撃が、外部との接触可能性の高い大径部１９ｂ、及び上記接する部分に直接に伝わらないように、大径部１９ｂ及び該部分の保護部材としての役割を果たすことができる。
【００４２】
また、ステム２４は、上記軸に対するステムピン２０〜２３側の端部において、接着部材２７と接する部分に、フランジ部２８を備えている。一方、ランプフランジ２６は、その内壁において、接着部材２７と接する部分に、段差部２６ｄを備えている。このように、フランジ部２８及び段差部２６ｄを接着部材２７と接する部分に設けることにより、ステム２４と接着部材２７との間の接触面積、及びランプフランジ２６と接着部材２７との間の接触面積が大きくなる。このことにより、ステム２４とランプフランジ２６とをより確実に固定させることができる他、ステム２４での熱の伝導性を向上させることができる。
【００４３】
図５は、トリガソケット１４等を示す斜視図である。図５に示すように、ＸｅＦランプ１２と同軸方向に延びるトリガソケット１４は、同軸に対して一端側に、挿入部２９（結合部）を備えている。挿入部２９は、ステムピン２０〜２３及び排気管２５が挿入されるように、ステムピン２０〜２３等の配置位置と対応する位置に、挿入穴２９ａを有する。ステムピン２０〜２３等が挿入穴２９ａに挿入されることにより、ＸｅＦランプ１２にトリガソケット１４が着脱自在に取り付けられる。
【００４４】
トリガソケット１４には、ランプフランジ２６よりも小さい外径を有するソケットフランジ３０が取り付けられている。このソケットフランジ３０は、上記軸に対して挿入部２９側の一端に設けられている。ソケットフランジ３０において、ステムピン２０〜２３等が挿入穴２９ａに挿入されるときのＸｅＦランプ１２側の端面には、上記接着部材２７によって埋められる部分と対向する部分を含むように、窪み部３１が設けられている。このため、窪み部３１は、接着部材２７が、ステム２４とランプフランジ２６とにおいてトリガソケット１４に接する端面よりはみ出た場合に、そのはみ出た接着部材２７を納めることができる。したがって、はみ出た接着部材２７が例えばランプフランジ２６とソケットフランジ３０との間に挟まれ、ランプフランジ２６とソケットフランジ３０とがしっかりと当接できなくなったり、接着部材２７がソケットフランジ３０と当接する等によって脱落物が発生することを回避することができる。
【００４５】
図６は、ＸｅＦランプ１２にトリガソケット１４が結合された状態で、光学ボックス１１に固定された様子を示す図である。なお、図６は、図２においてＸｅＦランプ１２等を示す部分に対する詳細図ともいえる。
【００４６】
図６に示すように、光学ボックス１１には筒形状のランプ挿入口３２が設けられている。このランプ挿入口３２の内壁３２ａに、ランプフランジ２６の壁状部２６ｂの外面２６ｅが当接されることによって、容器１９が光学ボックス１１に収容される。一方で、上述したように、壁状部２６ｂは容器１９の一部を包囲するとともに、容器１９の軸に沿って延びる壁形状に形成されている。
【００４７】
このような構成から、例えば、ユーザが、容器１９を挿入端にして、ＸｅＦランプ１２を光学ボックス１１のランプ挿入口３２に挿入する際に、壁状部２６ｂは、容器１９のランプ挿入口３２及び反射ミラー１３に対するガイド部材或いは保護部材としての役割を果たすことができる。このことにより、例えば、ユーザはガラス製の強度の弱い容器１９をランプ挿入口３２及び反射ミラー１３等に直接に接触させることなく安全に挿入することができる。
【００４８】
また、ランプフランジ２６には、上述したように、ＸｅＦランプ１２の管軸と直交する方向へ突出した位置決め部２６ｃが設けられている。位置決め部２６ｃは、例えば容器１９が壁状部２６ｂにガイドされながら上記ランプ挿入口３２に挿入されていく際に、ランプ挿入口３２の端部３２ｂと当接することにより、容器１９の進行に対するストッパーとしての役割を果たすことができる。このことにより、ＸｅＦランプ１２は、光学ボックス１１に挿入され過ぎることなく、光学ボックス１１内の所定の位置にセットされることができる。この場合、位置決め部２６ｃは、例えばＸｅＦランプ１２が光学ボックス１１内の最適な位置に配置されるように、予め位置調整して形成されることができる。そして、ユーザは、予め調整した最適な位置に、容易に、ＸｅＦランプ１２を配置させることができる。
【００４９】
また、壁状部２６ｂにおいて、上記軸に沿って延びたときの先端には、切欠部３３が設けられている。一方、ランプ挿入口３２の内壁３２ａには、切欠部３３に挿入されることの可能な突起部３４が設けられている。このような構成から、例えばユーザがＸｅＦランプ１２を光学ボックス１１のランプ挿入口３２に挿入する際には、切欠部３３と突起部３４とを嵌め合わせるようにして挿入する。ここで、切欠部３３と突起部３４とは、例えばＸｅＦランプ１２が光学ボックス１１内の最適な位置に配置されるように、予め位置調整して形成されることができる。この場合に、ユーザは、予め調整した最適な位置に、容易に、ＸｅＦランプ１２を配置させることができる。
【００５０】
固定部材３５は、ランプ挿入口３２と共同して、ランプフランジ２６とソケットフランジ３０とを間に挟み込むことによってしっかりと当接させ密着させるとともに、ＸｅＦランプ１２とトリガソケット１４とを光学ボックス１１に固定させるためのものである。図６に示すように、固定部材３５は、ランプフランジ２６の少なくとも一部と、ソケットフランジ３０とを包囲するとともに、筒形状の形状を有している。また、固定部材３５のランプフランジ２６側の内壁３５ａ、及び該内壁と接するランプ挿入口３２の外面３２ｃには、雌ネジ及びそれに係合する雄ネジが設けられている。このため、ユーザは、固定部材３５を回すことにより、固定部材３５のランプフランジ２６側の一端と光学ボックス１１とをしっかりと螺合させることができる。また、固定部材３５のソケットフランジ３０側の他端には、トリガソケット１４が挿通されるようにソケット挿通部３６が設けられている。このソケット挿通部３６の内径は、トリガソケット１４の外径よりは大きいが、ソケットフランジ３０の外径よりは小さくなるよう、ソケット挿通部３６の中心軸方向に向かって延びる縁部３５ｂが設けられている。
【００５１】
このような構成から、トリガソケット１４に結合されたＸｅＦランプ１２がランプ挿入口３２内に配置され、固定部材３５のランプフランジ２６側の一端がランプ挿入口３２に螺合していくと、固定部材３５のソケットフランジ３０側の他端はソケットフランジ３０をランプフランジ２６に密着させていく。このようにして、固定部材３５のランプフランジ２６側の一端がランプ挿入口３２にしっかりと螺合されると、ＸｅＦランプ１２とトリガソケット１４とは、ランプフランジ２６とソケットフランジ３０とを介して互いに押し付けられた状態で光学ボックス１１にしっかりと固定される。
【００５２】
このように、ＸｅＦランプ１２に固定されたランプフランジ２６とトリガソケット１４に取り付けられたソケットフランジ３０とが、固定部材３５と光学ボックス１１との間に挟み込まれることにより、互いに当接された状態で光学ボックス１１にしっかりと固定された場合には、例えばトリガソケット１４の重さによる、ＸｅＦランプ１２とトリガソケット１４との成す軸の垂直な下方向への応力は、ランプフランジ２６とソケットフランジ３０との当接部に作用するために、ＸｅＦランプ１２・トリガソケット１４の取り付け構造における構造的な安定性を確保することができる。更に、上記場合には、例えば上記応力が作用してステムピン２０〜２３が曲がり、曲がったステムピン２０〜２３によって発生したステム２４の隙間から容器１９内部のガスが外部に漏れることを防止することができる。
【００５３】
ところで、例えば前述した図４に示したように、ＸｅＦランプ１２とランプフランジ２６とは所定の間隔をおいて接着されている。この所定の間隔は、例えば容器１９内に収容された電極２０ａ，２１ａ，２２ａ，２３ａ、つまり発光領域を光学ボックス１１内の最適な位置に配置させるために、適宜調整可能とするためのものである。すなわち、ランプフランジ２６の枠内におけるＸｅＦランプ１２の配置位置は場合によって変動する。つまり、ＸｅＦランプ１２の中心軸とランプフランジ２６との中心軸とが一致しない場合もある。
【００５４】
一方で、ソケットフランジ３０付きのトリガソケット１４は、上記したランプフランジ２６付のＸｅＦランプ１２に結合される。このとき、仮に、ランプフランジ２６の外径とソケットフランジ３０の外径とが同じであったとすると、上記変動にしたがって、例えばランプフランジ２６の中心軸を中心とした場合のランプフランジ２６及びソケットフランジ３０で構成される部分の最外郭面が、ときにはランプフランジ２６の外面になったり、ときにはソケットフランジ３０の外面になったりする。このことにより、ＸｅＦランプ１２・トリガソケット１４の取り付け構造の全体外形に対する安定性が失われやすい。
【００５５】
ここで、例えば図５〜６に示したように、ソケットフランジ３０は、ランプフランジ２６よりも小さい外径を有するように設けられる。このため、例えば図７に示すように、ＸｅＦランプ１２の中心軸とランプフランジ２６の中心軸とを必要によってずらしたことによって上記変動が生じた場合に、ソケットフランジ３０の外面がランプフランジ２６の外面よりはみ出ることを、ソケットフランジ３０の外径が小さい分だけ、防止することができる。このことは、例えばランプフランジ２６の外面が上記最外郭面であることを維持しやすくするなど、ＸｅＦランプ１２・トリガソケット１４の取り付け構造の全体外形に対する安定性を向上させる。その結果、ＸｅＦランプ１２のランプフランジ２６における配置を調整した場合であっても、その光学ボックス１１への固定構造を調整する必要はなく、例えば最外郭面であるランプフランジ２６の外径に基づいて固定部材３５の大きさを決めて形成することができる。
【００５６】
以上、本発明の好適な実施形態について説明したが、本発明は上記実施形態に限定されないことは言うまでもない。
【００５７】
例えば、上記実施形態においては、例えば図３に示したように、壁状部２６ｂはＸｅＦランプ１２の管軸を中心とする連続したリング形状として設けられているが、これに限られることなく、例えば連続しない形状として設けても良い。すなわち、本体部２６ａの複数の所定部分から上記軸に沿って延びた複数の壁形状のものにより、壁状部２６ｂが構成されるようにしても良い。
【００５８】
更に、例えば図３に示すように、ＸｅＦランプ１２が光学ボックス１１のランプ挿入口に挿入される際の向きを決定する切欠部３３は、トリガープローブ電極２１ａ，２２ａが電極２３ａ，２０ａより下側に配置されるように形成されても良い。この場合には、ＸｅＦランプ１２のアークによる熱がトリガープローブ電極２１ａ，２２ａとは反対側に流れる。このため、トリガープローブ電極２１ａ，２２ａの消耗を少なくして、ＸｅＦランプ１２全体の寿命を長くすることができる。
【図面の簡単な説明】
【００５９】
【図１】本実施形態に係るフラッシュ光源装置の外面構成を示す斜視図である。
【図２】図１のフラッシュ光源装置の内部構成を示す右側面図である。
【図３】ＸｅＦランプを示す斜視図である。
【図４】図３の長手方向に沿った概略断面図である。
【図５】トリガソケット等を示す斜視図である。
【図６】ＸｅＦランプにトリガソケットが結合された状態で、光学ボックスに固定された様子を示す図である。
【図７】図６において、ＸｅＦランプの中心軸とランプフランジの中心軸とをずらした場合の様子を示す図である。
【符号の説明】
【００６０】
１…フラッシュ光源装置、２…ハウジング、３…上部ハウジング、３ａ…前面、３ｂ…背面、３ｃ…左側面、３ｄ…右側面、３ｅ…上面、４…下部ハウジング、４ａ…前面、４ｂ…背面、４ｃ…左側面、４ｄ…右側面、４ｅ…底面、５…光源部、６…駆動部、７…光出射口、７ａ…ファイバ差込口、７ｂ…ファイバ、８…操作パネル、９…蓋部、１０…外気取込口、１１…光学ボックス、１１ａ…前面、１１ｂ…背面、１１ｃ…出射開口部、１１ｄ…ランプ挿入口、１２…ＸｅＦランプ、１３…反射ミラー、１４…トリガソケット、１４ａ…ケーブル、１５…ソケット側コネクタ、１６…駆動部側コネクタ、１７…仕切り板、１８…電源供給部、１９…容器、１９ａ…投光窓部、１９ｂ…大径部、２０，２１，２２，２３…ステムピン、２０ａ…陰極、２１ａ，２２ａ…トリガープローブ電極、２３ａ…陽極、２４…ステム、２５…排気管、２６…ランプフランジ、２６ａ…本体部、２６ｂ…壁状部、２６ｃ…位置決め部、２６ｄ…段差部、２６ｅ…外面、２７…接着部材、２８…フランジ部、２９…挿入部、２９ａ…挿入穴、３０…ソケットフランジ、３１…窪み部、３２…ランプ挿入口、３２ａ…内壁、３２ｂ…端部、３２ｃ…外面、３３…切欠部、３４…突起部、３５…固定部材、３５ａ…内壁、３５ｂ…縁部、３６…ソケット挿通部。
【図１】
2008047366.tif 000003
【図２】
2008047366.tif 000004
【図３】
2008047366.tif 000005
【図４】
2008047366.tif 000006
【図５】
2008047366.tif 000007
【図６】
2008047366.tif 000008
【図７】
2008047366.tif 000009